(57)【要約】【課題】本発明は、湯沸かしタンクとは別に給水タンクを有する電気給湯器において、浄水部を通過する際の圧力損失を小さくすることができる浄水方法および浄水機能付き電気給湯器を提供することを目的とする。【解決手段】浄水フィルタ２４の少なくとも上面と側面のいずれか一方を前記浄水フィルタを収容するケーシング５１の外枠と当接させないことにより、浄水フィルタを通過しない経路に一部の水を逃がし、圧力損失を小さくする。【選択図】  図１
2004209131.tif 000002
【特許請求の範囲】
【請求項１】
水を収納する給水タンクと、加熱手段が付設された湯沸かしタンクと、一端が前記給水タンクに連通し他端が前記湯沸かしタンクに連通接続する給水経路と、前記給水タンクから前記湯沸かしタンクへ水を供給するポンプと、前記給水経路中に設けられるとともに、活性炭を有する浄水フィルタと前記浄水フィルタを収容するケーシングとを有した浄水部とを備え、前記浄水フィルタの少なくとも上面と側面のいずれか一方が前記ケーシングの外枠と当接しない電気給湯器。
【請求項２】
ケーシングに被処理水を排出する排水口を設けた請求項１に記載の電気給湯器。
【請求項３】
浄水部を、給水タンク内の給水経路中に配する請求項１または２に記載の電気給湯器。
【請求項４】
浄水フィルタは、繊維状活性炭を有したシートを渦巻き状または同心円状に巻いた構成とし、ケーシングの前記浄水フィルタを通過する水が前記浄水フィルタの渦巻きまたは同心円の中心軸と平行な方向に流れる位置に、流入口を配する請求項１〜３のいずれか１項に記載の電気給湯器。
【請求項５】
浄水フィルタの径の長さよりも厚さ方向の長さを短くする請求項４記載の電気給湯器。
【請求項６】
浄水フィルタは、繊維状活性炭を有したシートを積層させた構成とし、ケーシングの前記浄水フィルタを通過する水が、前記浄水フィルタの積層面と平行な方向に流れる位置に、流入口を配する請求項１〜３のいずれか１項に記載の電気給湯器。
【請求項７】
シートが０．０７ｇ／ｃｍ３〜０．１０ｇ／ｃｍ３の密度である請求項４〜６のいずれか１項に記載の電気給湯器。
【請求項８】
浄水部による吸着および分解除去を行った後に、沸騰による揮発除去を行うように制御する請求項１〜７のいずれか１項に記載の電気給湯器。
【発明の詳細な説明】
【０００１】
【発明の属する技術分野】
本発明は、湯沸かしタンクとは別に水を貯水する給水タンクを有する電気給湯器に関するものであり、その浄水手段に関するものである。
【０００２】
【従来の技術】
従来の電気給湯器は、給水のために本体そのものを運ばなければならなかったが、給湯機本体に対して取り外し自在とされた給水タンクと、給水タンクの水を湯沸かしタンクに随時供給する水補給手段を有して、給水の利便性向上し、消費量が大きな場合でも湯ぎれを起こさないようにしたものもある。（例えば、特許文献１参照）。この発明では、給水タンク内に籠状の容器内に活性炭などの浄水剤を収容して構成された浄水カートリッジが吊り下げ具で給水タンクの口縁に係止することにより取り外し自在に取り付けられており、給水タンク内の水に浄水カートリッジが浸漬する状態で使用されている。
【０００３】
また、１つの器体内に浄水器と電気的な加熱手段を働かせた貯湯容器とを並べ設け、器体外の給水源から浄水器へ給水することで、原水を浄水してそのまま利用し、また貯湯容器に貯湯される貯湯液を浄水とすることにも利用できるものも提案されている。（例えば、特許文献２参照）。
【０００４】
【特許文献１】
特許第３０９５００７号公報（第４頁、第１図）
【特許文献２】
特許第２６７７２１１号公報（第２−５頁、第１図）
【０００５】
【発明が解決しようとする課題】
しかしながら、前記の特許文献１の方法では、浄水カートリッジを通過する手段が付設されていないため、水中の残留塩素やトリハロメタンなどの除去を十分に行うことができない。また、給水タンク内の水に浄水カートリッジが浸漬する状態で使用されているため、連続して使用して活性炭の吸着能を超えた場合に、吸着していたトリハロメタン等を再放出してしまうという課題を有していた。
【０００６】
また、前記の特許文献２の方法では、器体外の給水源から浄水カートリッジを通過させるので前記特許文献１の方法よりも浄水性能は良いものの、浄化剤である活性炭や中空糸膜を通過する際の圧力損失が大きくなるという課題を有していた。
【０００７】
本発明は、前記従来の課題を解決するもので、浄水部を通過する際の圧力損失を小さくすることができる電気給湯器を提供することを目的とする。
【０００８】
【課題を解決するための手段】
前記従来の課題を解決するために、水を収納する給水タンクと、加熱手段が付設された湯沸かしタンクと、一端が前記給水タンクに連通し他端が前記湯沸かしタンクに連通接続する給水経路と、前記給水タンクから前記湯沸かしタンクへ水を供給するポンプと、前記給水経路中に設けられるとともに、活性炭を有する浄水フィルタと前記浄水フィルタを収容するケーシングとを有した浄水部とを備えた電気給湯器であって、前記浄水フィルタの少なくとも上面と側面のいずれか一方を前記ケーシングの外枠と当接させないことにより、浄水フィルタを通過しない経路に一部の水を逃がすことができ、浄水部を通過する際の圧力損失を小さくすることができるのである。
【０００９】
【発明の実施の形態】
請求項１に記載の本発明は、水を収納する給水タンクと、加熱手段が付設された湯沸かしタンクと、一端が前記給水タンクに連通し他端が前記湯沸かしタンクに連通接続する給水経路と、前記給水タンクから前記湯沸かしタンクへ水を供給するポンプと、前記給水経路中に設けられるとともに、活性炭を有する浄水フィルタと前記浄水フィルタを収容するケーシングとを有した浄水部とを備え、前記浄水フィルタの少なくとも上面と側面のいずれか一方が前記ケーシングの外枠と当接しない電気給湯器であり、これにより、浄水フィルタを通過しない経路に一部の水を逃がして流速を小さくすることができる。圧力損失は、流速に比例して大きくなることから、流速を小さくすることで浄水部を通過する際の圧力損失を小さくすることができる。
【００１０】
請求項２に記載の本発明は、ケーシングに被処理水を排出する排水口を設けた請求項１に記載の電気給湯器であり、この構成により、浄水部の内部の空気の抜け道ができるため浄水部への水の通過をスムーズに行うことができるのである。
【００１１】
また、この排水口から空気とともに水も排出され、この水を再度給水タンクへと戻すことで、給水タンクと浄水部の間で循環させることができ、浄水部との接触回数が増えるため浄水性能を向上することができる。また、排水口から水が落下する際の爆気により、トリハロメタンや残留塩素などの揮発成分を除去することもできる。
【００１２】
請求項３に記載の本発明は、浄水部を、給水タンク内の給水経路中に配する請求項１または２に記載の電気給湯器である。浄水フィルタに熱が加わると、吸着したトリハロメタン等を再放出してしまう恐れがあるが、この構成によれば、湯沸かしタンクに貯湯された湯からの蒸気や熱が浄水部に伝わることがないため、トリハロメタン等の再放出を防ぐことができる。
【００１３】
請求項４に記載の本発明は、浄水フィルタは、繊維状活性炭を有したシートを渦巻き状または同心円状に巻いた構成とし、ケーシングの前記浄水フィルタを通過する水が前記浄水フィルタの渦巻きまたは同心円の中心軸と平行な方向に流れる位置に、流入口を配する請求項１〜３のいずれか１項に記載の電気給湯器であり、この構成により、浄水フィルタのシートとシートの接触面に沿って水が浄水フィルタ内に浸透し、通過するような流し方ができるため、浄水フィルタを通過する際の圧力損失を小さくすることができる。また、水が浄水フィルタ内に浸透し、通過するような流し方ができるため、活性炭との接触効率も良くなり、浄水性能も向上することができる。
【００１４】
請求項５に記載の本発明は、浄水フィルタの径の長さよりも厚さ方向の長さを短くする請求項４記載の電気給湯器であり、これにより、これによってさらに浄水フィルタを通過する際の圧力損失を小さくすることができる。
【００１５】
請求項６に記載の本発明は、浄水フィルタは、繊維状活性炭を有したシートを積層させた構成とし、ケーシングの前記浄水フィルタを通過する水が、前記浄水フィルタの積層面と平行な方向に流れる位置に、流入口を配する請求項１〜３のいずれか１項に記載の電気給湯器であり、これによって、前記請求項５に記載の本発明と同様に、浄水フィルタのシートとシートの接触面に沿って水が浄水フィルタ内に浸透し、通過するような流し方ができるため、浄水フィルタを通過する際の圧力損失を小さくすることができ、かつ、活性炭との接触効率も良くなり、浄水性能も向上することができる。
【００１６】
請求項７に記載の本発明は、シートが０．０７ｇ／ｃｍ３〜０．１０ｇ／ｃｍ３の密度である請求項４〜６のいずれか１項に記載の電気給湯器であり、これによって圧力損失を小さくし、かつ浄水性能を発揮できる電気給湯器とすることができる。
【００１７】
請求項８に記載の本発明は、浄水部による吸着および分解除去を行った後に、沸騰による揮発除去を行うように制御する請求項１〜７のいずれか１項に記載の電気給湯器であり、これによって、浄水部でトリハロメタン、残留塩素を除去し、これらの物質が少なくなった水を沸騰による揮発で除去することができ、より浄水性能を高めることができる。また、トリハロメタン、残留塩素のすべてを浄水部で除去する必要はなくなり、残りを沸騰による除去にまわすことができるため、浄水部の大きさを小さくしたり、寿命を長くしたりすることができる。
【００１８】
【実施例】
以下本発明の実施例について、図面を参照しながら説明する。
【００１９】
（実施例１）
図１は、本発明の電機給湯器の浄水部の第一の実施例を示すものである。図１の（ａ）は、浄水部の断面図で、（ｂ）は（ａ）の図中のＡ−Ａ´の一点破線で切断した場合の断面図である。２４は浄水フィルタであり、繊維状活性炭からなるシートを渦巻状に巻いたものである。５１は浄水フィルタ２４を収容するケーシングであり、浄水フィルタ２４とケーシング５１の外枠は当接していない。ケーシング５１は５５の流入口と下部に５６の流出口、排水口５２を有している。この排水口５２によって、浄水部の内部の空気の抜け道ができるため浄水部への水の通過をスムーズに行うことができるのである。また、この排水口から空気とともに水も排出され、この水を再度給水タンクへと戻すことで、給水タンクと浄水部の間で循環させることができる。
【００２０】
次に図中の矢印を用いて、ケーシング５１内の水の流れについて説明する。浄水フィルタ２４がケーシング５１の外枠と当節していないため、ブロック矢印のように上部より浄水部に供給された水は、ケーシング５１内で、実線矢印で示された浄水フィルタを通過する流路５３と、破線矢印で示された浄水フィルタを通過しない流路５４とに分かれる。圧力損失は、流速に比例して大きくなることから、浄水フィルタを通過しない経路５４に一部の水を逃がして、浄水フィルタを通過する流路５３の流速を小さくすることで、圧力損失を小さくすることができる。
【００２１】
また、浄水フィルタを通過する流路５３を通過する水は、浄水フィルタ２４の渦巻きの中心軸と平行な方向で通過するので、浄水フィルタ２４のシートとシートの接触面に沿って水が浄水フィルタ２４内に浸透し、通過するような流し方となるため、浄水フィルタ２４を通過する際の圧力損失を小さくすることができる。また、このような流し方ができるため、活性炭との接触効率も良くなり、浄水性能も向上することができる。
【００２２】
浄水フィルタを通過しない流路５４とは、全く浄水フィルタと接触しないものと、浄水フィルタ表面をかすめるように流れるものを含み、浄水フィルタを通過しない流路５４を通った水の一部は、排水口５２を通り、図示されていない給水タンク内へ戻る。これにより、給水タンクと浄水部の間で循環させることができ、浄水部との接触回数が増えるため浄水性能を向上することができる。また、排水口から水が落下する際の爆気により、トリハロメタンや残留塩素などの揮発成分を除去することもできる。
【００２３】
以上のように、浄水部を通過する水は、浄水フィルタを通過する流路５３を通ること、浄水フィルタを通過しない流路５４のうちの浄水フィルタ表面をかすめるように流れること、また、排水口から水が落下する際の爆気により、トリハロメタン、残留塩素等の不良物質が除去されるのである。
【００２４】
（実施例２）
図２は、本発明の電機給湯器の浄水部の第二の実施例を示すものである。図２の（ａ）は、浄水部の断面図で、（ｂ）は（ａ）の図中のＡ−Ａ´の一点破線で切断した場合の断面図である。２４の浄水フィルタおよび５５の流入口、５６の流出口、排水口５２は、実施例一の場合と同様であるが、５１のケーシングは、内部に複数個の穴を有するしきり５１ａを有しており、散水板の働きをしている。
【００２５】
次に図中の矢印を用いて、ケーシング５１内の水の流れについて説明する。浄水フィルタ２４がケーシング５１の外枠と当接していないため、ブロック矢印のように上部より浄水部に供給された水は、ケーシング５１内の複数個の穴を有するしきり５１ａにより、実線矢印で示された浄水フィルタを通過する流路５３と、破線矢印で示された浄水フィルタを通過しない流路５４とに分かれる。浄水フィルタを通過しない流路５４とは、全く浄水フィルタと接触しないものと、浄水フィルタ表面をかすめるように流れるものを含む。
【００２６】
また、浄水フィルタを通過しない流路５４を通った水の一部は、排水口５２を通り、図示されていない給水タンク内へ戻る。これにより、浄水部を通過する水は、浄水フィルタを通過する流路５３を通ること、浄水フィルタを通過しない流路５４のうちの浄水フィルタ表面をかすめるように流れること、また、排水口から水が落下する際の爆気により、トリハロメタン、残留塩素等の不良物質が除去されるのである。
【００２７】
（実施例３）
図３は、本発明の電機給湯器の浄水部の第三の実施例を示すものである。図３の（ａ）は、浄水部の断面図で、（ｂ）は（ａ）の図中のＡ−Ａ´の一点破線で切断した場合の断面図である。２４の浄水フィルタおよび５６の流出口、排水口５２は、実施例一の場合と同様であるが、５１のケーシングは、水の流入口５５がケーシングの上部ではなく、横部に位置している。
【００２８】
次に図中の矢印を用いて、ケーシング５１内の水の流れについて説明する。浄水フィルタ２４がケーシング５１の外枠と当接していないため、ブロック矢印のように左横上部より浄水部に供給された水は、ケーシング５１内で実線矢印で示された浄水フィルタを通過する流路５３と、破線矢印で示された浄水フィルタを通過しない流路５４とに分かれる。浄水フィルタを通過しない流路５４とは、全く浄水フィルタと接触しないものと、浄水フィルタ表面をかすめるように流れるものを含む。
【００２９】
また、浄水フィルタを通過しない流路５４を通った水の一部は、排水口５２を通り、図示されていない給水タンク内へ戻る。これにより、浄水部を通過する水は、浄水フィルタを通過する流路５３を通ること、浄水フィルタを通過しない流路５４のうちの浄水フィルタ表面をかすめるように流れること、また、排水口から水が落下する際の爆気により、トリハロメタン、残留塩素等の不良物質が除去されるのである。
【００３０】
（実施例４）
図４は、本発明の電機給湯器の浄水部の第四の実施例を示すものである。図４の（ａ）は、浄水部の断面図で、（ｂ）は（ａ）の図中のＡ−Ａ´の一点破線で切断した場合の断面図である。２４の浄水フィルタおよび５５の流入口、５６の流出口、排水口５２は、実施例三の場合と同様であるが、５１のケーシングは、内部に複数個の穴を有するしきり５１ａを有しており、散水板の働きをしている。
【００３１】
次に図中の矢印を用いて、ケーシング５１内の水の流れについて説明する。浄水フィルタ２４がケーシング５１の外枠と当接していないため、ブロック矢印のように左横上部より浄水部に供給された水は、ケーシング５１内の複数個の穴を有するしきり５１ａにより、実線矢印で示された浄水フィルタを通過する流路５３と、破線矢印で示された浄水フィルタを通過しない流路５４とに分かれる。実線矢印で示された浄水フィルタを通過する流路５３と、破線矢印で示された浄水フィルタを通過しない流路５４とに分かれる。浄水フィルタを通過しない流路５４とは、全く浄水フィルタと接触しないものと、浄水フィルタ表面をかすめるように流れるものを含む。
【００３２】
また、浄水フィルタを通過しない流路５４を通った水の一部は、排水口５２を通り、図示されていない給水タンク内へ戻る。これにより、浄水部を通過する水は、浄水フィルタを通過する流路５３を通ること、浄水フィルタを通過しない流路５４のうちの浄水フィルタ表面をかすめるように流れること、また、排水口から水が落下する際の爆気により、トリハロメタン、残留塩素等の不良物質が除去されるのである。
【００３３】
実施例１〜実施例４では、浄水フィルタは一枚の繊維状活性炭からなるシートを渦巻き状に巻いた構成であったが、図５のように、複数の繊維状活性炭からなるシートを同心円状に巻いた構成であっても同様の効果を示すものである。
【００３４】
また、全体の形状が円筒状（断面が円または楕円状）以外にも、例えば図６の（ａ）、（ｂ）のように、全体の形状が直方体またはその他角柱（断面が四角形またはその他の多角形）であっても同様の効果を示すものである。
【００３５】
また、図７のように、繊維状活性炭からなるシートを積層させた構成であっても、同様の効果を示すものである。この場合には、シートとシートの接触面に沿って水が浄水フィルタ内に浸透し、通過するような流し方ができる。
【００３６】
図８は、本発明の第一の実施例の浄水部を備えた電気給湯器の構成図を示すものである。
【００３７】
１は電気給湯器の本体（以下単に本体１と称する）で、内部に湯を貯水する湯沸かしタンク２と、前記湯沸かしタンク２とは別に内部に水を貯水する給水タンク３３を有している。湯沸かしタンク２の上部には開閉可能に覆った上蓋４を有している。５は蒸気口であり、湯沸かしタンク内２より本体外部へと蒸気くものである。８は給湯用のポンプで、湯沸かしタンク２の底部からの湯を揚水経路を構成する吐出パイプ１２に供給している。１４は前記吐出パイプ１２を通った湯を外部に注ぎ出すための出湯口であり、１１の弁を介して吐出パイプ１２と連通している。１５は加熱手段であるヒータであり、湯沸かしタンク２の下部側面に装着されている。２２はフロートであり、ボール状であり水に浮くため水をいれたとき水位の高さで浮いている。２３は水位センサでありフロート２２の位置を検出するものである。
【００３８】
３３は湯沸かしタンク２とは別に内部に水を貯水する給水タンクである。３４はモータ３５により駆動される給水用のポンプで、その吸い込み口３６より、給水タンク２内に貯水された水は、給水経路２９を通過し、湯沸かしタンク２内に給水される。２５は給水経路４の途中に設けられた浄水部であり、内部に活性炭２４を有しており、２６の最高水位線よりも上に位置しているため、給水タンク２内の水に浸漬することがない。本図面では図示されていないが、浄水部２５のケーシングには下部に備えられた排水口があり、浄水部２５内部の空気の抜け道、また、給水タンク３３から湯沸かしタンク２へ給水する際の空気の抜け道となり、給水をスムーズにすることができる。
【００３９】
また、この排水口から空気とともに水も排出され、この水を再度給水タンク３３へと戻すことで、給水タンク３３と浄水部２５の間で循環させることができ、浄水部２５との接触回数が増えるため浄水性能を向上することができる。
【００４０】
また、排水口５２から水が落下する際の爆気により、トリハロメタンや残留塩素などの揮発成分を除去することもできる。給水タンク３３に入れられた水は、ポンプ３４により浄水部２５へ供給される。浄水部２５では、内部の活性炭２４により水に溶解しているトリハロメタン、残留塩素等の不良成分を除去され、前記物質が少なくなった水が、給水経路２９、弁２８を通じて湯沸かしタンク２内へ入る。湯沸かしタンク２内に供給された水は、湯沸かしタンク２の下部側面に装着された加熱手段であるヒータにより加熱され、沸騰による揮発により、トリハロメタン、残留塩素等の不良成分が除去される。
【００４１】
３１は制御装置であり水位センサ２３、また図示されてていない蒸気センサ、温度センサ等の信号を受けヒータ１５、弁１１、２８等を制御する。
【００４２】
本実施例の動作を説明する。初期において、弁２８、１１は閉じている。タンク３３内に水を供給した後、図示されていないスイッチを押すと、弁２８が開き、ポンプ３４が作動する。これによりタンク３３内の水が、浄水部２５へと流入し、活性炭２４を通過する。浄水部２５を通過した水は、給水経路２９を通り弁２８を介して湯沸かしタンク２へと導かれる。その際、浄水部２５を通過した水の一部は図示されていない排水口より排出され、再度給水タンク３３へと戻る。ポンプ３４付近に設けた図示されていない流量センサまたはフロート等により、タンク３３内の水が無くなったことを検知するか、またはフロート２２の位置をセンサ２３が検知して、満水であることを検知し、ポンプ３４を停止し、２８を閉め初期状態に戻す。フロート２２の位置を水位センサ２３が検知することにより、湯沸かしタンク２に浄水が入ったことを検知し、ヒータ１５への通電を開始し、湯沸かしを開始する。
【００４３】
手動により加熱を開始したい際には図示されていない加熱スイッチを押す。その際、フロート２２の位置が低下しセンサ２３により検出され、あらかじめ設定しておいた検出下限値を下回った際には、ヒータへの通電ができないようにする。湯沸かしタンク２内の水が検知された場合には、ヒータ１５への通電が始まる。加熱の際には、図示されていない温度センサ、蒸気センサ等により検知を行う。温度センサによりあらかじめ沸点付近に設定された温度（例えば９８〜１００℃）に達したことを検知したとき、もしくは蒸気センサにより蒸気の発生を検知したときには、制御装置３１が働き、ヒータへの通電が制御され、あらかじめ設定されたシーケンス制御により、例えば間欠的にヒータへの通電を行う等して、湯沸かしタンク２内の湯を一定時間沸点付近に設定された一定温度に保たれる。これにより、湯沸かしタンク２内の湯は常に沸点付近に保たれるため、トリハロメタン、残留塩素等の揮発性物質を、沸騰による揮発により除去することができる。
【００４４】
湯を利用したい際には、図示されていない押しボタンを押し、出湯口１４により注ぎ出す。湯を使用するとフロート２２の位置が低下しセンサ２３により検出され、あらかじめ設定しておいた検出下限値を下回った際には、ヒータへの通電が止まる。
【００４５】
湯を利用して、湯沸かしタンク２内の湯が減り、給水タンクから再度給水を行いたい場合には、図示されていないスイッチを押すことにより、前述のように、弁２８が開き、ポンプ３４が作動し、給水タンク３３内の水が浄水部２５、給水経路２９を通過して、湯沸かしタンク内に供給される。給水を途中で止めたい場合には、図示されていないスイッチを押すことにより、ポンプ３３を停止し、２８を閉め初期状態に戻す。
【００４６】
次に、本発明の電気給湯器を用いた実験例について説明する。
【００４７】
（実験例一）
本発明の電機給湯器の浄水部の第三の実施例である図３のケーシングに、密度０．０８ｇ／ｃｍ３である繊維状活性炭からなるシートを、直径４０ｍｍ、暑さ２０ｍｍの形状に巻いた浄水フィルタを収容した浄水部に水を流して、圧力損失を測定した。浄水部を通過する流量と、圧力損失の関係を図９に示す。図９中のＡは、本発明の電機給湯器の浄水部の第三の実施例である図３のケーシングに、密度０．０８ｇ／ｃｍ３である繊維状活性炭からなるシートを、直径４０ｍｍ、暑さ２０ｍｍの形状に巻いた浄水フィルタを収容した浄水部であり、ＢはＡと同様の浄水フィルタを用いて、強制的に水の全量が浄水フィルタを通過するようなケーシングを用いて、浄水フィルタの巻き中心軸と平行な方向より水を流した場合の系であり、Ｃは、Ａと同様の浄水フィルタを用いて、強制的に水の全量が浄水フィルタを通過するようなケーシングを用いて、浄水フィルタの巻き中心軸と垂直な方向（すなわち浄水フィルタの側面側）より水を流した場合の系である。同じ流量で比較した場合には、浄水フィルタの巻き中心軸と垂直な方向から通水するＣよりも、平行な方向から通水するＡ、Ｂの方が圧力損失が低く、また浄水フィルタに全量が通過するＢよりも、本発明の一部を浄水フィルタを通過しない流路に逃がすＡの場合の方が、より圧力損失を低くすることができることが分かった。
【００４８】
（実験例二）
次に、本発明の電気給湯器を用いて浄水性能を評価した実験例について示す。実験例一のＡを浄水部として有する電気給湯器についてと、実験例一のＢの浄水部のみを用いた場合について残留塩素除去率を比較した。電気給湯器での湯沸かしおよび沸騰については、沸騰するまではヒータに７６０Ｗを通電し、沸騰を検知後は、３０秒毎に３秒７６０Ｗをヒータに通電するシーケンスを用いて、６分間沸騰行った。給水タンク３３内に残留塩素濃度が１．０ｐｐｍとなるように調製した水道水１．５Ｌを入れて、電気給湯器による湯沸かしを行い、沸騰終了後の濃度を測定し、除去率を求めた。また、実験例一のＢの浄水部のみを用いた場合については、同じく残留塩素濃度が１．０ｐｐｍとなるように調製した水道水１．５Ｌを、１．２Ｌ／分の流速で通過させた。除去率は、残存率（％）を（沸騰終了後の濃度）÷（初期濃度＝１．０ｐｐｍ）×１００により求め、１００−残存率（％）により求めた。結果を（表１）に示す。
【００４９】
【表１】
2004209131.tif 000003
【００５０】
浄水部ＡおよびＢのみでの除去の場合は、残留塩素の除去率がそれぞれ７０％、８５％で、強制的に通過する系であるＢの方が高かった。一方、浄水部Ａでの除去と沸騰の両方を行った場合は、浄水部でトリハロメタン、残留塩素を除去するため、これらの物質が少なくなった水を沸騰による揮発で除去することになるため、残留塩素の除去率が９５％と高くなった。
【００５１】
（実験例三）
次に、本発明の電気給湯器に用いる繊維状活性炭シートの密度と浄水フィルタの寿命について検討した実験例について示す。密度がそれぞれ０．０５ｇ／ｃｍ３、０．０７ｇ／ｃｍ３、０．１０ｇ／ｃｍ３、０．１２ｇ／ｃｍ３である繊維状活性炭からなるシートを用いて、直径４０ｍｍ、暑さ２０ｍｍの形状に巻いた浄水フィルタを作成し、これらを実施例一のケーシングに収容した浄水部について、残留塩素濃度が１．０ｐｐｍとなるように調製した水道水を１．２Ｌ／分の流速で連続通水した。通水の途中で、残留塩素の除去率を測定し、除去率が４０％をきった時点での通水量を浄水フィルタの寿命とした。浄水フィルタに用いた繊維状活性炭シートの密度と、浄水フィルタの寿命を図１０に示す。浄水フィルタの寿命が２２００Ｌ以上となるのは、密度が０．０７ｇ／ｃｍ３以上の場合であった。しかし、０．１２ｇ／ｃｍ３の場合は、他のものを用いた場合に比較して、活性炭を通過しない流路を流れる水が極端に多かった。これは密度が高くなったために、浄水フィルタの圧力損失が高くなってしまったためと思われる。よってこれらのことから、本発明で用いる繊維状活性炭シートの密度は、０．０７ｇ／ｃｍ３〜０．１０ｇ／ｃｍ３が最適であると考えられる。
【００５２】
【発明の効果】
以上のように、本発明によれば、湯沸かしタンクとは別に給水タンクを有し、浄水部を通過する際の圧力損失を小さくすることができる電気給湯器を提供することができる。
【図面の簡単な説明】
【図１】本発明の電機給湯器の浄水部の第１の実施例を示す図
【図２】本発明の電機給湯器の浄水部の第２の実施例を示す図
【図３】本発明の電機給湯器の浄水部の第３の実施例を示す図
【図４】本発明の電機給湯器の浄水部の第４の実施例を示す図
【図５】本発明の同心円状の浄水フィルタの構成図
【図６】本発明の全体の形状が直方体またはその他角柱（断面が四角形またはその他の多角形）である浄水フィルタの構成図
【図７】本発明の積層させた構成の浄水フィルタの構成図
【図８】第一の実施例の浄水部を備えた電気給湯器の構成図
【図９】本発明の浄水部を通過する流量と、圧力損失の関係を示す図
【図１０】本発明の浄水フィルタに用いた繊維状活性炭シートの密度と、浄水フィルタの寿命の関係を示す図
【符号の説明】
１  本体
２  湯沸かしタンク
１５  加熱手段（ヒータ）
２４  活性炭
２５  浄水部
２６  最高水位線
２９  給水経路
３３  給水タンク
３４  ポンプ
５１  ケーシング
５２  排水口
５５  流入口
【図１】
2004209131.tif 000004
【図２】
2004209131.tif 000005
【図３】
2004209131.tif 000006
【図４】
2004209131.tif 000007
【図５】
2004209131.tif 000008
【図６】
2004209131.tif 000009
【図７】
2004209131.tif 000010
【図８】
2004209131.tif 000011
【図９】
2004209131.tif 000012
【図１０】
2004209131.tif 000013